(57)【要約】【課題】エリアセンサと結像レンズとの相対位置を変化させて最適な焦点位置を求める際に測定される解像力の変化に関して片ボケの影響を抑制し得る構成を提供する。【解決手段】結像レンズ２５を保持した状態でホルダ５０に組み付けられるレンズ保持部６０には、結像レンズ２５の光軸Ｌ１に沿う基準面としてつば下面６３及び端面６１ａ，６１ｂが設けられる。そして、ホルダ５０には、結像レンズ２５を介した光がエリアセンサ２３に結像するようにレンズ保持部６０を組み付けたときにつば下面６３及び端面６１ａ，６１ｂが面接触し、光軸Ｌに沿うようにレンズ保持部６０を移動させたときにつば下面６３及び端面６１ａ，６１ｂが摺接する案内面として上面５４及び開口５５の縁面５６ａ，５６ｂが形成される。【選択図】図４
2019028980.tif 000002
【特許請求の範囲】
【請求項１】
情報コードからの反射光を結像レンズを介して受光するエリアセンサを備え、前記エリアセンサから出力される信号に基づいて前記情報コードを光学的に読み取る光学的情報読取装置であって、
前記エリアセンサが固定されるホルダと、
前記結像レンズを保持した状態で前記ホルダに組み付けられて、前記結像レンズの光軸に沿う基準面が設けられるレンズ保持部と、を備え、
前記ホルダには、前記結像レンズを介した光が前記エリアセンサに結像するように前記レンズ保持部を組み付けたときに前記基準面が面接触し、前記光軸に沿うように前記レンズ保持部を移動させたときに前記基準面が摺接する案内面が形成されることを特徴とする光学的情報読取装置。
【請求項２】
前記エリアセンサは、長方形状の受光面を有し、
前記結像レンズを介した視野の一部に結像に関して性能低下を招く片ボケが生じる位置が前記結像レンズごとに把握されており、
前記レンズ保持部は、前記片ボケが生じる視野の部分が前記受光面の長辺側で当該受光面の外に位置するように前記結像レンズを保持することを特徴とする請求項１に記載の光学的情報読取装置。
【請求項３】
前記基準面は、平面状の第１基準面と、当該第１基準面に交差する平面状の第２基準面とからなり、
前記案内面は、前記第１基準面が摺接可能な平面状の第１案内面と、前記第２基準面が摺接可能な平面状の第２案内面とからなることを特徴とする請求項１又は２に記載の光学的情報読取装置。
【請求項４】
前記レンズ保持部は、つば部を有し、
前記つば部は、結像レンズ側となる平面の少なくとも一部が前記第１基準面として機能し、
前記ホルダは、前記組み付け時に前記レンズ保持部のうち前記つば部よりも結像レンズ側となる部分が開口を介して収容されるように形成され、前記開口が設けられる平面の少なくとも一部が前記第１案内面として機能することを特徴とする請求項３に記載の光学的情報読取装置。
【請求項５】
前記つば部は、前記摺接時に前記結像レンズ側となる平面にて前記開口を覆うように形成されることを特徴とする請求項４に記載の光学的情報読取装置。
【請求項６】
前記第１基準面及び前記第２基準面は、前記レンズ保持部の外面に設けられる凸部を利用して形成され、
前記第１案内面及び前記第２案内面は、前記ホルダに設けられる凹部を利用して形成されることを特徴とする請求項３に記載の光学的情報読取装置。
【請求項７】
前記第１基準面及び前記第２基準面は、前記レンズ保持部の外面に設けられる凹部を利用して形成され、
前記第１案内面及び前記第２案内面は、前記ホルダに設けられる凸部を利用して形成されることを特徴とする請求項３に記載の光学的情報読取装置。
【請求項８】
前記レンズ保持部は、前記光軸が通る面から見て断面多角形状となる外周面の少なくとも一部が前記第１基準面及び前記第２基準面として機能するように形成されることを特徴とする請求項３に記載の光学的情報読取装置。
【請求項９】
前記レンズ保持部は、前記光軸が通る面から見て断面円弧状となる外周面の少なくとも一部が前記基準面として機能するように形成されることを特徴とする請求項１又は２に記載の光学的情報読取装置。
【請求項１０】
前記レンズ保持部には、前記ホルダに対して前記光軸に沿うように移動させるときに利用される係合部が設けられることを特徴とする請求項１〜９のいずれか一項に記載の光学的情報読取装置。
【請求項１１】
請求項１〜１０のいずれか一項に記載の光学的情報読取装置を製造する光学的情報読取装置の製造方法であって、
前記結像レンズが保持された前記レンズ保持部を、前記エリアセンサが固定された前記ホルダに対して前記基準面が前記案内面に面接触するように組み付ける工程と、
前記光軸に沿って移動可能なアームを前記レンズ保持部に組み付ける工程と、
前記基準面が前記案内面に摺接するように前記アームを前記光軸に沿う方向に移動させながら前記エリアセンサによる解像力を順次測定する工程と、
測定された解像力がピークとみなされるピーク位置で前記アームが組み付けられた状態の前記レンズ保持部を前記ホルダに固定する工程と、
前記アームを前記レンズ保持部から取り外す工程と、
を備えることを特徴とする光学的情報読取装置の製造方法。
【請求項１２】
前記レンズ保持部を前記ホルダに固定する工程では、前記アームを前記光軸に沿う第１の方向に移動させながら前記ピーク位置が求められることで、当該ピーク位置を超えるように前記アームを前記光軸に沿い前記第１の方向に対して逆方向となる第２の方向に移動させた後、前記ピーク位置に向けて再度前記アームを前記第１の方向に移動させて、当該ピーク位置で前記レンズ保持部を前記ホルダに固定することを特徴とする請求項１１に記載の光学的情報読取装置の製造方法。
【請求項１３】
前記解像力を順次測定する工程では、所定値以上の解像力が測定される際の前記アームによる移動量を、前記所定値未満の解像力が測定される際の前記アームによる移動量よりも小さくすることを特徴とする請求項１１又は１２に記載の光学的情報読取装置の製造方法。
【発明の詳細な説明】
【技術分野】
【０００１】
本発明は、光学的情報読取装置及び光学的情報読取装置の製造方法に関するものである。
【背景技術】
【０００２】
近年、ＱＲコード（登録商標）などの二次元コードの普及に応じて、小売店、コンビニエンスストア等でも、クーポンなどに付された二次元コードを読み取るニーズが高まってきている。このため、今後、撮像素子が二次元状に配置されたエリアセンサを用いることでバーコードだけでなく二次元コードを読み取り可能な読取装置の導入が増加すると予想される。その一方で、依然としてバーコードを読み取るニーズもあり、二次元コードを読み取り可能な読取装置であってもバーコードを読み取ることが求められる。さらに、公知の記号認識処理機能（ＯＣＲ）を利用することで、撮像したパスポートの旅券情報等を認識して読み取るニーズも高まってきている。
【０００３】
このため、エリアセンサを有する光学的情報読取装置では、情報コード等を安定した距離で撮像して読み取るために、エリアセンサとこのエリアセンサに情報コード等からの反射光を結像させるための結像レンズとの相対位置を所定の焦点位置（ベストフォーカス）に調整・維持する部材として、鏡筒が採用されていた。この鏡筒は、外周面にねじ部が形成されており、内部に結像レンズが組み付けられた状態で、ねじ部にてエリアセンサが組み付けられたホルダにねじ込まれる。そして、この鏡筒のねじ込み量が調整されることで、エリアセンサと結像レンズとの相対位置が調整されていた。このようなねじ込み量を調整することでエリアセンサと結像レンズとの相対位置を調整する光学的情報読取装置としては、例えば、下記特許文献１に開示される光学的情報読取装置が知られている。
【先行技術文献】
【特許文献】
【０００４】
【特許文献１】特開２０１４−０２６３７１号公報
【発明の概要】
【発明が解決しようとする課題】
【０００５】
光学的情報読取装置に採用される安価な結像レンズには、製造時のばらつき等に起因して視野周辺の一部に結像に関して性能低下している部分（以下、単に片ボケともいう）が生じる場合がある。このような片ボケが生じていない結像レンズでは、エリアセンサと結像レンズとの相対位置に応じて解像力が変化し、その相対位置が最適な焦点位置となる場合に測定される解像力が最も高く評価される。
【０００６】
しかしながら、片ボケが生じている結像レンズでは、エリアセンサと結像レンズとの相対位置を上述のようなねじ込み量に応じて調整する構成において、ねじ込み量を変えるごとに測定される解像力に基づいて最適な焦点位置を求める際、片ボケ部分も光軸中心に回転することとなる。このように片ボケ部分が回転移動すると、片ボケ部分の位置に応じて解像力が変化してしまうため、エリアセンサと結像レンズとの相対位置が最適な焦点位置だったとしても測定される解像力が低く評価される場合がある。このような場合には、最適な焦点位置に調整できなくなるという問題がある。
【０００７】
本発明は、上述した課題を解決するためになされたものであり、その目的とするところは、エリアセンサと結像レンズとの相対位置を変化させて最適な焦点位置を求める際に測定される解像力の変化に関して片ボケの影響を抑制し得る構成を提供することにある。
【課題を解決するための手段】
【０００８】
上記目的を達成するため、特許請求の範囲の請求項１に記載の発明は、
情報コード（Ｃ）からの反射光を結像レンズ（２５）を介して受光するエリアセンサ（２３）を備え、前記エリアセンサから出力される信号に基づいて前記情報コードを光学的に読み取る光学的情報読取装置（１０）であって、
前記エリアセンサが固定されるホルダ（５０，１５０，２５０，３５０，４５０）と、
前記結像レンズを保持した状態で前記ホルダに組み付けられて、前記結像レンズの光軸（Ｌ２）に沿う基準面が設けられるレンズ保持部（６０，１６０，２６０，３６０，４６０）と、を備え、
前記ホルダには、前記結像レンズを介した光が前記エリアセンサに結像するように前記レンズ保持部を組み付けたときに前記基準面が面接触し、前記光軸に沿うように前記レンズ保持部を移動させたときに前記基準面が摺接する案内面が形成されることを特徴とする。
【０００９】
また、請求項１１に記載の発明は、
請求項１〜１０のいずれか一項に記載の光学的情報読取装置（１０）を製造する光学的情報読取装置の製造方法であって、
前記結像レンズが保持された前記レンズ保持部を、前記エリアセンサが固定された前記ホルダに対して前記基準面が前記案内面に面接触するように組み付ける工程と、
前記光軸に沿って移動可能なアーム（５１０）を前記レンズ保持部に組み付ける工程と、
前記基準面が前記案内面に摺接するように前記アームを前記光軸に沿う方向に移動させながら前記エリアセンサによる解像力を順次測定する工程と、
測定された解像力がピークとみなされるピーク位置で前記アームが組み付けられた状態の前記レンズ保持部を前記ホルダに固定する工程と、
前記アームを前記レンズ保持部から取り外す工程と、
を備えることを特徴とする。
なお、上記各括弧内の符号は、後述する実施形態に記載の具体的手段との対応関係を示すものである。
【発明の効果】
【００１０】
請求項１の発明では、結像レンズを保持した状態でエリアセンサが固定されるホルダに組み付けられるレンズ保持部には、結像レンズの光軸に沿う基準面が設けられる。そして、ホルダには、結像レンズを介した光がエリアセンサに結像するようにレンズ保持部を組み付けたときに基準面が面接触し、光軸に沿うようにレンズ保持部を移動させたときに基準面が摺接する案内面が形成される。
【００１１】
これにより、エリアセンサと結像レンズとの相対位置を調整する場合には、基準面が案内面に対して摺接するようにレンズ保持部をホルダに対して光軸に沿うように移動させる。すなわち、片ボケが生じている結像レンズであっても、エリアセンサと結像レンズとの相対位置を変化させて最適な焦点位置を求める際に片ボケ部分が回転移動しないため、測定される解像力の変化に関して片ボケの影響を抑制することができる。
【００１２】
請求項２の発明では、エリアセンサは、長方形状の受光面を有し、片ボケが生じる位置が結像レンズごとに把握されている。そして、レンズ保持部は、片ボケが生じる視野の部分が受光面の長辺側で当該受光面の外に位置するように結像レンズを保持する。これにより、片ボケが生じる視野の部分が受光面の短辺側に位置するように結像レンズが保持される場合と異なり、片ボケが生じる視野の部分をエリアセンサによる撮像視野外に位置させやすくでき、片ボケの影響を抑制して解像力を向上させることができる。
【００１３】
請求項３の発明では、基準面は、平面状の第１基準面と、当該第１基準面に交差する平面状の第２基準面とからなり、案内面は、第１基準面が摺接可能な平面状の第１案内面と、第２基準面が摺接可能な平面状の第２案内面とからなる。このように、基準面及び案内面をそれぞれ２つの平面により構成することで、レンズ保持部をホルダに対して光軸に沿うように移動させる構成を簡素に実現することができる。
【００１４】
請求項４の発明では、レンズ保持部のつば部は、結像レンズ側となる平面の少なくとも一部が第１基準面として機能し、ホルダは、組み付け時にレンズ保持部のうちつば部よりも結像レンズ側となる部分が開口を介して収容されるように形成され、この開口が設けられる平面の少なくとも一部が第１案内面として機能する。これにより、ホルダへのレンズ保持部の組み付けを容易に実施できるだけでなく、この組み付け時に第１基準面と第１案内面とを容易に面接触させやすくすることができる。
【００１５】
請求項５の発明では、つば部は、摺接時に結像レンズ側となる平面にて開口を覆うように形成される。これにより、つば部が開口を介した光の入射を防止する遮光部として機能するため、ホルダの遮光性を向上させることができる。
【００１６】
請求項６の発明のように、第１基準面及び第２基準面は、レンズ保持部の外面に設けられる凸部を利用して形成され、第１案内面及び第２案内面は、ホルダに設けられる凹部を利用して形成されてもよい。
【００１７】
請求項７の発明のように、第１基準面及び第２基準面は、レンズ保持部の外面に設けられる凹部を利用して形成され、第１案内面及び第２案内面は、ホルダに設けられる凸部を利用して形成されてもよい。
【００１８】
請求項８の発明のように、レンズ保持部は、光軸が通る面から見て断面多角形状となる外周面の少なくとも一部が第１基準面及び第２基準面として機能するように形成されてもよい。
【００１９】
請求項９の発明のように、レンズ保持部は、光軸が通る面から見て断面円弧状となる外周面の少なくとも一部が基準面として機能するように形成されてもよい。
【００２０】
請求項１０の発明では、レンズ保持部には、ホルダに対して光軸に沿うように移動させるときに利用される係合部が設けられるため、光軸に沿うようなレンズ保持部の相対移動を精度良く行うことができ、最適な焦点位置への調整を確実に実施することができる。
【００２１】
請求項１１の発明では、結像レンズが保持されたレンズ保持部を、エリアセンサが固定されたホルダに対して基準面が案内面に面接触するように組み付けた後、光軸に沿って移動可能なアームをレンズ保持部に組み付け、基準面が案内面に摺接するようにアームを光軸に沿う方向に移動させながらエリアセンサによる解像力を順次測定し、測定された解像力がピークとみなされるピーク位置でアームが組み付けられた状態のレンズ保持部をホルダに固定した後、アームをレンズ保持部から取り外す。
【００２２】
これにより、ピーク位置でレンズ保持部をホルダに固定する際、レンズ保持部にはアームが組み付けられているので、レンズ保持部がピーク位置からずれ難くなり、解像力を測定することで求められた最適な焦点位置への調整を確実に実施することができる。
【００２３】
請求項１２の発明では、レンズ保持部をホルダに固定する工程では、アームを光軸に沿う第１の方向に移動させながらピーク位置が求められることで、当該ピーク位置を超えるようにアームを光軸に沿う第２の方向に移動させた後、ピーク位置に向けてアームを上記第１の方向に移動させて、当該ピーク位置でレンズ保持部をホルダに固定する。
【００２４】
アームの移動方向を第１の方向から第２の方向に切り替える際、アームを移動させるためのアクチュエータのあそび等に起因して、アクチュエータが駆動してもレンズ保持部が移動していない場合があり、このような場合には、第１の方向に移動させながら見つけたピーク位置に向けてレンズ保持部を他方向に移動させるように調整すると、ピーク位置からずれた位置に固定される可能性がある。そこで、第１の方向に移動させながらピーク位置が求められた場合には、当該ピーク位置を超えるようにアームを光軸に沿う第２の方向に移動させた後、ピーク位置に向けてアームを上記第１の方向に移動させて、当該ピーク位置でレンズ保持部をホルダに固定することで、上述のようなピーク位置からのずれの発生を防止でき、最適な焦点位置への調整をより確実に実施することができる。
【００２５】
請求項１３の発明では、解像力を順次測定する工程では、所定値以上の解像力が測定される際のアームによる移動量を、前記所定値未満の解像力が測定される際のアームによる移動量よりも小さくする。これにより、ピーク位置付近までの測定に関して測定時間が短縮し、ピーク位置近傍での測定に関して測定精度が高められるので、測定時間の短縮と測定精度の向上との両立を図ることができる。
【図面の簡単な説明】
【００２６】
【図１】第１実施形態に係る光学的情報読取装置の構成を概略的に示すブロック図である。
【図２】第１実施形態においてホルダの構成を示す図であり、図２（Ａ）は、正面図を示し、図２（Ｂ）は、平面図を示し、図２（Ｃ）は、側面図を示す。
【図３】第１実施形態においてレンズ保持部の構成を示す図であり、図３（Ａ）は、正面図を示し、図３（Ｂ）は、平面図を示し、図３（Ｃ）は、側面図を示す。
【図４】第１実施形態においてレンズ保持部をホルダに組み付けた状態を示す図であり、図４（Ａ）は、正面図を示し、図４（Ｂ）は、平面図を示し、図４（Ｃ）は、一部を断面にて図示する側面図を示す。
【図５】本発明における結像レンズをエリアセンサに対して相対移動させる際の撮像視野に対する片ボケ部分の位置を説明する説明図である。
【図６】従来技術における結像レンズをエリアセンサに対して相対移動させる際の撮像視野に対する片ボケ部分の位置を説明する説明図である。
【図７】第２実施形態においてホルダの構成を示す図であり、図７（Ａ）は、正面図を示し、図７（Ｂ）は、平面図を示し、図７（Ｃ）は、側面図を示す。
【図８】第２実施形態においてレンズ保持部をホルダに組み付けた状態を示す図であり、図８（Ａ）は、正面図を示し、図８（Ｂ）は、平面図を示し、図８（Ｃ）は、側面図を示す。
【図９】第３実施形態においてホルダの構成を示す図であり、図９（Ａ）は、正面図を示し、図９（Ｂ）は、平面図を示し、図９（Ｃ）は、側面図を示す。
【図１０】第３実施形態においてレンズ保持部をホルダに組み付けた状態を示す図であり、図１０（Ａ）は、正面図を示し、図１０（Ｂ）は、平面図を示し、図１０（Ｃ）は、側面図を示す。
【図１１】第４実施形態においてホルダの構成を示す図であり、図１１（Ａ）は、正面図を示し、図１１（Ｂ）は、平面図を示し、図１１（Ｃ）は、側面図を示す。
【図１２】第４実施形態においてレンズ保持部をホルダに組み付けた状態を示す図であり、図１２（Ａ）は、正面図を示し、図１２（Ｂ）は、平面図を示し、図１２（Ｃ）は、側面図を示す。
【図１３】第５実施形態においてホルダの構成を示す図であり、図１３（Ａ）は、正面図を示し、図１３（Ｂ）は、平面図を示し、図１３（Ｃ）は、側面図を示す。
【図１４】第５実施形態においてレンズ保持部をホルダに組み付けた状態を示す図であり、図１４（Ａ）は、正面図を示し、図１４（Ｂ）は、平面図を示し、図１４（Ｃ）は、側面図を示す。
【図１５】第６実施形態に係る光学的情報読取装置の製造方法に利用する製造装置を概略的に示す平面図である。
【図１６】第６実施形態に係る光学的情報読取装置の製造方法に利用する製造装置を概略的に示す側面図である。
【図１７】図１７（Ａ）は、コントラスト値を測定するチャートの一例を示す説明図であり、図１７（Ｂ）は、コントラスト値を測定するチャートの他の例を示す説明図である。
【図１８】図１８（Ａ）は、一方向にアームを移動させたときのコントラスト値の測定結果を示す説明図であり、図１８（Ｂ）は、他方向にアームを移動させたときのコントラスト値の測定結果を示す説明図である。
【図１９】ピーク位置に移動したレンズ保持部とホルダとに対して接着用溝にＵＶ接着剤を塗布する状態を説明する説明図である。
【発明を実施するための形態】
【００２７】
［第１実施形態］
以下、本発明の第１実施形態に係る光学的情報読取装置について、図面を参照して説明する。
本実施形態に係る光学的情報読取装置１０は、一次元コードや二次元コード等の情報コードＣを光学的に読み取る情報コードリーダとして構成されている。ここで、一次元コードとしては、例えば、ＪＡＮコード、ＥＡＮ、ＵＰＣ、ＩＴＦコード、ＣＯＤＥ３９、ＣＯＤＥ１２８、ＮＷ−７等からなるいわゆるバーコードが想定される。また、二次元コードとしては、例えば、ＱＲコード、データマトリックスコード、マキシコード、Ａｚｔｅｃコード等の方形状の情報コードが想定される。
【００２８】
この光学的情報読取装置１０は、図示しないケースの内部に回路部２０が収容されてなるものであり、回路部２０は、主に、照明光源２１、マーカ光照射部２２、エリアセンサ２３等の光学系と、メモリ３５、制御部４０等のマイクロコンピュータ（以下「マイコン」という）系とを備えている。
【００２９】
光学系は、投光光学系と、受光光学系とに分かれている。投光光学系は、照明光源２１とマーカ光照射部２２とから構成されている。照明光源２１は、照明光Ｌｆを発光可能な照明光源として機能するもので、例えば、ＬＥＤとこのＬＥＤの出射側に設けられるレンズとから構成されている。
【００３０】
マーカ光照射部２２は、エリアセンサ２３による撮像範囲の中心を示すマーカ光Ｌｍを照射可能なマーカ光源として機能するもので、例えば、ＬＥＤとこのＬＥＤの出射側に設けられるレンズとから構成されている。なお、図１では、情報コードＣが付された読取対象Ｒに向けて照明光Ｌｆおよびマーカ光Ｌｍを照射する例を概念的に示している。
【００３１】
受光光学系は、エリアセンサ２３、結像レンズ２５などによって構成されている。エリアセンサ２３は、例えば、Ｃ−ＭＯＳやＣＣＤ等の固体撮像素子である受光素子を二次元に配列した長方形状の受光面２３ａを有する受光センサとして情報コードＣを撮像可能に構成されるものであり、受光した情報コードの各セル（パターン）ごとに反射光Ｌｒの強度に応じた電気信号を出力するように構成されている。このエリアセンサ２３は、結像レンズ２５を介して入射する入射光を受光可能にセンサ基板２０ａに実装されている。
【００３２】
結像レンズ２５は、１又は２以上のレンズを有するように構成されており、外部から読取口１３を介して入射する入射光を集光してエリアセンサ２３の受光面２３ａに像を結像可能な結像光学系として機能するものである。本実施形態では、照明光源２１から照射された照明光Ｌｆが情報コードＣやこの情報コードＣが付された読取対象Ｒにて反射するようになっており、この反射光Ｌｒを結像レンズ２５で集光し、エリアセンサ２３の受光面２３ａにコード像を結像させている。
【００３３】
また、受光光学系には、図２〜図４に示すように、センサ基板２０ａが固定されるホルダ５０と結像レンズ２５が保持されるレンズ保持部６０とが設けられている。なお、エリアセンサ２３及び結像レンズ２５の光軸Ｌに沿う方向をＸ方向、後述するホルダ５０の上面５４とレンズ保持部６０のつば下面６３とが面接触する平面に平行であってＸ方向に直交する方向をＹ方向、Ｘ方向及びＹ方向の双方に直交する方向をＺ方向として、以下説明する。
【００３４】
ホルダ５０は、図２（Ａ）〜（Ｃ）に示すように、略箱状に形成されており、一方の端部５１がセンサ基板２０ａを固定可能に開口しており、この開口を覆うようにセンサ基板２０ａが固定されることで、センサ基板２０ａに実装されるエリアセンサ２３がホルダ５０内に収容される。また、ホルダ５０には、エリアセンサ２３の受光面２３ａが対向する他方の端部５２に、エリアセンサ２３の光軸Ｌ１を中心とする円状の開口５２ａが設けられている。この開口５２ａは、ホルダ５０の遮光性を高めるため、光軸Ｌ１方向からみてレンズ保持部６０により保持される結像レンズ２５とその近傍のみを露出させるように形成されている。
【００３５】
また、ホルダ５０の上部は、図２（Ａ）〜（Ｃ）に示すように、Ｘ方向に伸びる一対の縁部５３の間に設けられる平面状の上面５４がエリアセンサ２３の光軸Ｌ１に沿うように形成され、その中央に矩形状の開口５５が設けられている。この開口５５は、エリアセンサ２３の光軸Ｌ１に沿うようにＹ方向にて対向し上面５４に対して直交する縁面５６ａ，５６ｂにて後述するスライド調整時のレンズ保持部６０に摺接してレンズ保持部６０の上記光軸Ｌ１に沿う方向と異なる方向への移動を規制するように、そのＹ方向の長さが設定されている。また、開口５５は、スライド調整時のレンズ保持部６０のスライドを許容する長さに応じて、そのＸ方向の長さが設定されている。また、一対の縁部５３には、スライド調整後の接着固定に利用される接着用溝５３ａがそれぞれ形成されている。なお、上面５４は、「案内面」及び「第１案内面」の一例に相当し、縁面５６ａ，５６ｂは、「案内面」及び「第２案内面」の一例に相当し得る。
【００３６】
レンズ保持部６０は、図３（Ａ）〜（Ｃ）に示すように、結像レンズ２５を保持する保持部本体６１とこの保持部本体６１の上部に連結されるつば部６２とを備えている。結像レンズ２５は、後述するように片ボケが生じる位置を考慮して保持部本体６１に保持されている。保持部本体６１は、つば部６２近傍でのＹ方向側の両端面６１ａ，６１ｂが結像レンズ２５の光軸Ｌ２に沿うことで開口５５の縁面５６ａ，５６ｂに摺接可能であってそれぞれつば下面６３に直交するように形成されている。なお、端面６１ａ，６１ｂは、「基準面」及び「第２基準面」の一例に相当し得る。
【００３７】
つば部６２は、略平板状であって、スライド調整時に縁部５３に摺接するようにＹ方向の長さが設定されており、その結像レンズ２５側となる平面となるつば下面６３が結像レンズ２５の光軸Ｌ２に沿うように形成されている。つば下面６３は、ホルダ５０の上面５４との面接触した摺接時に結像レンズ２５の光軸Ｌ２とエリアセンサ２３の光軸Ｌ１とが光軸Ｌとして一致するように、結像レンズ２５の光軸Ｌ２までのＺ方向の長さが設定されている。また、つば部６２は、摺接時に常時つば下面６３にて開口５５を覆うように、そのＸ方向の長さが設定されている。また、つば部６２の上面には、スライド調整時に利用される一対の凹状の係合部６４と、スライド調整後の接着固定に利用される一対の接着用溝６５が形成されている。接着用溝６５は、どのようなスライド調整位置でも接着用溝５３ａと連通するように、接着用溝５３ａよりもＸ方向に長くなるように形成されている。なお、つば下面６３は、「基準面」及び「第１基準面」の一例に相当し得る。
【００３８】
そして、レンズ保持部６０は、図４（Ａ）〜（Ｃ）に示すように、ホルダ５０への組み付け時に、つば下面６３と上面５４とが面接触するとともに端面６１ａ，６１ｂと縁面５６ａ，５６ｂとがそれぞれ面接触した状態で、つば部６２よりも結像レンズ２５側となる保持部本体６１が開口５５を介してホルダ５０内に収容される。そして、後述するようにエリアセンサ２３と結像レンズ２５との相対位置が最適な焦点位置となるように、両係合部６４を利用してレンズ保持部６０がホルダ５０に対してＸ方向に沿いスライド調整された後、接着用溝６５から接着用溝５３ａにかけてＵＶ接着剤を塗布等することでスライド不能にレンズ保持部６０がホルダ５０に組み付けられる。
【００３９】
マイコン系は、増幅回路３１、Ａ／Ｄ変換回路３３、メモリ３５、アドレス発生回路３６、同期信号発生回路３８、制御部４０、操作部４２、液晶表示器４３、ブザー４４、バイブレータ４５、発光部４６、通信インタフェース４８等から構成されている。このマイコン系は、その名の通り、マイコン（情報処理装置）として機能し得る制御部４０およびメモリ３５を中心に構成されるもので、上述した光学系によって撮像された情報コードの画像信号をハードウェア的およびソフトウェア的に信号処理し得るものである。また制御部４０は、当該光学的情報読取装置１０の全体システムに関する制御も行っている。
【００４０】
光学系のエリアセンサ２３から出力される画像信号（アナログ信号）は、増幅回路３１に入力されることで所定の増幅率で増幅された後、Ａ／Ｄ変換回路３３に入力されると、アナログ信号からディジタル信号に変換される。そして、ディジタル化された画像信号、つまり画像データ（画像情報）は、生成されてメモリ３５に入力されると、所定のコード画像情報格納領域に蓄積される。なお、同期信号発生回路３８は、エリアセンサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００４１】
メモリ３５は、半導体メモリ装置で、例えばＲＡＭ（ＤＲＡＭ、ＳＲＡＭ等）やＲＯＭ（ＥＰＲＯＭ、ＥＥＰＲＯＭ等）がこれに相当する。このメモリ３５のうちのＲＡＭには、上述したコード画像情報格納領域のほかに、制御部４０が算術演算や論理演算等の各処理時に利用する作業領域や読取条件テーブルも確保可能に構成されている。またＲＯＭには、情報コードを光学的に読み取るための読取処理を実行可能な読取用プログラムや、照明光源２１、エリアセンサ２３等の各ハードウェアを制御可能なシステムプログラム等が予め格納されている。
【００４２】
制御部４０は、光学的情報読取装置１０全体を制御可能なマイコンで、ＣＰＵ、システムバス、入出力インタフェース等からなるもので、メモリ３５とともに情報処理装置を構成し得るもので情報処理機能を有する。この制御部４０は、エリアセンサ２３によって撮像されてメモリ３５に記憶される情報コードのコード画像について解読処理（デコード）を行うように機能する。また、制御部４０は、内蔵された入出力インタフェースを介して種々の入出力装置（周辺装置）と接続可能に構成されており、本実施形態の場合、操作部４２、液晶表示器４３、ブザー４４、バイブレータ４５、発光部４６、通信インタフェース４８等が接続されている。
【００４３】
操作部４２は、複数のキーによって構成され、使用者のキー操作に応じて制御部４０に対して操作信号を与える構成をなしており、制御部４０は、操作部４２から操作信号を受けたとき、その操作信号に応じた動作を行うように構成されている。液晶表示器４３は、公知の液晶表示パネルによって構成されており、制御部４０によって表示内容が制御されるようになっている。ブザー４４は、公知のブザーによって構成されており、制御部４０からの動作信号に応じて所定の音を発生させるように構成されている。バイブレータ４５は、携帯機器に搭載される公知のバイブレータによって構成されており、制御部４０からの駆動信号に応じて振動を発生させるように構成されている。発光部４６は、例えばＬＥＤであって、制御部４０からの信号に応じて点灯するように構成されている。通信インタフェース４８は、外部（例えばホスト装置）との間でのデータ通信を行うためのインタフェースとして構成されており、制御部４０と協働して通信処理を行う構成をなしている。
【００４４】
次に、ホルダ５０及びレンズ保持部６０の詳細構成について説明する。
上述したように、結像レンズには、製造時のばらつき等に起因して視野周辺の一部に結像に関して性能低下している片ボケが生じる場合がある。このため、結像レンズ２５を保持する鏡筒ＢのホルダＨに対するねじ込み量に応じてエリアセンサ２３と結像レンズ２５との相対位置を調整する従来構成では、図６に例示する撮像視野Ｐのように、調整時に片ボケ部分Ｓも光軸Ｌを中心に回転する（図６の矢印参照）。このように片ボケ部分Ｓが回転移動すると、片ボケ部分Ｓの位置に応じて解像力が変化してしまうため、エリアセンサ２３と結像レンズ２５との相対位置が最適な焦点位置だったとしても測定される解像力が低く評価される場合がある。
【００４５】
そこで、本実施形態では、上述したホルダ５０及びレンズ保持部６０を採用することで、結像レンズ２５をエリアセンサ２３に対して光軸Ｌに沿うようにスライドさせて相対位置を調整する。すなわち、つば下面６３にて上面５４に摺接するとともに両端面６１ａ，６１ｂにて開口５５の縁面５６ａ，５６ｂにそれぞれ摺接した状態で、レンズ保持部６０がホルダ５０に対して光軸方向（Ｘ方向）にスライドするように案内されることで、結像レンズ２５を回転移動させることなく結像レンズ２５とエリアセンサ２３との相対位置が調整可能となる。
【００４６】
そして、所定の治具をつば部６２に形成される両係合部６４に係合させた状態でレンズ保持部６０をホルダ５０に対して徐々にスライドさせて順次解像力を測定する。このように測定される解像力の変化に関して片ボケの影響が抑制されるため、解像力が最も高く評価されるスライド位置（相対位置）が最適な焦点位置であるとして、そのように調整された位置にレンズ保持部６０の接着用溝６５からホルダ５０の接着用溝５３ａにかけてＵＶ接着剤を塗布等して接着固定する。これにより、レンズ保持部６０が最適な焦点位置にてホルダ５０に対してスライド不能に組み付けられる。
【００４７】
特に、本実施形態では、結像レンズ２５ごとに片ボケが生じる位置を把握することで、図５に例示する撮像視野Ｐからわかるように、片ボケ部分Ｓが受光面２３ａの長辺側で当該受光面２３ａの外に位置するように結像レンズ２５をレンズ保持部６０により保持する。これにより、レンズ保持部６０をホルダ５０に対してスライドさせて解像力を測定する場合でも、片ボケ部分Ｓが撮像されることを抑制することができる。
【００４８】
以上説明したように、本実施形態に係る光学的情報読取装置１０では、結像レンズ２５を保持した状態でホルダ５０に組み付けられるレンズ保持部６０には、結像レンズ２５の光軸Ｌ１に沿う基準面としてつば下面６３及び端面６１ａ，６１ｂが設けられる。そして、ホルダ５０には、結像レンズ２５を介した光がエリアセンサ２３に結像するようにレンズ保持部６０を組み付けたときにつば下面６３及び端面６１ａ，６１ｂが面接触し、光軸Ｌに沿うようにレンズ保持部６０を移動させたときにつば下面６３及び端面６１ａ，６１ｂが摺接する案内面として上面５４及び開口５５の縁面５６ａ，５６ｂが形成される。
【００４９】
これにより、エリアセンサ２３と結像レンズ２５との相対位置を調整する場合には、つば下面６３及び端面６１ａ，６１ｂがそれぞれ上面５４及び開口５５の縁面５６ａ，５６ｂに対して摺接するようにレンズ保持部６０をホルダ５０に対して光軸Ｌに沿うように移動させる。すなわち、片ボケが生じている結像レンズ２５であっても、エリアセンサ２３と結像レンズ２５との相対位置を変化させて最適な焦点位置を求める際に片ボケ部分Ｓが回転移動しないため、測定される解像力の変化に関して片ボケの影響を抑制することができる。
【００５０】
さらに、エリアセンサ２３は、長方形状の受光面２３ａを有し、片ボケが生じる位置が結像レンズ２５ごとに把握されている。そして、レンズ保持部６０は、片ボケ部分Ｓが受光面２３ａの長辺側で当該受光面２３ａの外に位置するように結像レンズ２５を保持する。これにより、片ボケ部分Ｓが受光面の短辺側に位置するように結像レンズが保持される場合と異なり、片ボケ部分Ｓをエリアセンサ２３による撮像視野外に位置させやすくでき、片ボケの影響を抑制して解像力を向上させることができる。
【００５１】
なお、片ボケが生じる位置が結像レンズ２５ごとに把握していなくても、上述したレンズ保持部６０及びホルダ５０を採用することで片ボケ部分Ｓが回転移動しないため、仮に片ボケ部分Ｓが受光面２３ａの内側に位置したとしても、測定される解像力の変化に関して片ボケの影響を抑制することができる。
【００５２】
特に、レンズ保持部６０側の基準面は、平面状の第１基準面として機能するつば下面６３と、当該第１基準面に直交する平面状の第２基準面として機能する端面６１ａ，６１ｂとからなり、ホルダ５０側の案内面は、第１基準面が摺接可能な平面状の第１案内面として機能する上面５４と、第２基準面が摺接可能な平面状の第２案内面として機能する開口５５の縁面５６ａ，５６ｂとからなる。このように、基準面及び案内面をそれぞれ２種類の平面により構成することで、レンズ保持部６０をホルダ５０に対して光軸Ｌに沿うように移動させる構成を簡素に実現することができる。
【００５３】
なお、レンズ保持部６０側の第１基準面及び第２基準面が９０°で直交することなく交差するように設けられ、この交差状態の第１基準面及び第２基準面に対してホルダ５０側の第１案内面及び第２案内面がそれぞれ摺接可能に設けられても、レンズ保持部６０をホルダ５０に対して光軸Ｌに沿うように移動させる構成を簡素に実現することができる。
【００５４】
また、レンズ保持部６０のつば部６２は、結像レンズ２５側となるつば下面６３が第１基準面として機能し、ホルダ５０は、組み付け時にレンズ保持部６０のうちつば部６２よりも結像レンズ２５側となる保持部本体６１が開口５５を介して収容されるように形成され、この開口５５が形成される上面５４が第１案内面として機能する。これにより、ホルダ５０へのレンズ保持部６０の組み付けを容易に実施できるだけでなく、この組み付け時に第１基準面と第１案内面とを容易に面接触させやすくすることができる。
【００５５】
さらに、つば部６２は、摺接時につば下面６３にて開口５５を覆うように形成される。これにより、つば部６２が開口５５を介した光の入射を防止する遮光部として機能するため、ホルダ５０の遮光性を向上させることができる。
【００５６】
また、レンズ保持部６０には、ホルダ５０に対して光軸Ｌに沿うように移動させるときに利用される一対の凹状の係合部６４が設けられるため、光軸Ｌに沿うようなレンズ保持部６０の相対移動を精度良く行うことができ、最適な焦点位置への調整を確実に実施することができる。なお、係合部６４は、凹状に形成されることに限らず、スライド調整用の治具に係合可能な形状であれば、例えば、凸状に形成されてもよい。
【００５７】
［第２実施形態］
次に、本第２実施形態に係る光学的情報読取装置について、図７及び図８を参照して説明する。
本第２実施形態では、上述したホルダ５０及びレンズ保持部６０に代えて、ホルダ１５０及びレンズ保持部１６０を採用する点が、上記第１実施形態と主に異なる。
【００５８】
具体的には、図７及び図８に示すように、結像レンズ２５を保持するレンズ保持部１６０は、光軸Ｌが通る面から見て断面円状となる外周面（外面）１６１の上部に光軸方向に伸びる凸部１６２が設けられるように形成されている。また、レンズ保持部１６０の読取口１３側には、スライド調整時に利用されるフランジ部１６３が設けられている。
【００５９】
また、エリアセンサ２３が固定されるホルダ１５０は、上述したホルダ５０に対して、開口５５を無くし、端部１５１にレンズ保持部１６０の外周面１６１に摺接する開口１５２が形成され、この開口１５２の上部にレンズ保持部１６０の凸部１６２の上面及び側面の少なくとも一部に摺接する凹部１５３が形成されている。
【００６０】
すなわち、本実施形態では、第１基準面及び第２基準面は、レンズ保持部１６０の外周面１６１とこの外周面１６１に設けられる凸部１６２を利用して形成され、第１案内面及び第２案内面は、ホルダ１５０に設けられる開口１５２の縁面とこの開口１５２に設けられる凹部１５３を利用して形成される。
【００６１】
このように構成されても、エリアセンサ２３と結像レンズ２５との相対位置を調整する場合には、外周面１６１及び凸部１６２がそれぞれ開口１５２及び凹部１５３に対して摺接するようにレンズ保持部１６０をホルダ１５０に対して光軸Ｌに沿うように移動させることができる。このため、エリアセンサ２３と結像レンズ２５との相対位置を変化させて最適な焦点位置を求める際に片ボケ部分Ｓが回転移動しないため、測定される解像力の変化に関して片ボケの影響を抑制することができる。
【００６２】
なお、レンズ保持部１６０は、外周面１６１の下部のみでホルダ１５０の開口１５２に摺接するように形成され、凸部１６２の上面及び側面が第１基準面及び第２基準面として機能するように構成されてもよい。
【００６３】
［第３実施形態］
次に、本第３実施形態に係る光学的情報読取装置について、図９及び図１０を参照して説明する。
本第３実施形態では、上述したホルダ５０及びレンズ保持部６０に代えて、ホルダ２５０及びレンズ保持部２６０を採用する点が、上記第１実施形態と主に異なる。
【００６４】
具体的には、図９及び図１０に示すように、結像レンズ２５を保持するレンズ保持部２６０は、光軸Ｌ（Ｌ２）が通る面から見て断面円状となる外周面（外面）２６１の上部に光軸方向に伸びる凹部２６２が設けられるように形成されている。また、レンズ保持部１６０の読取口１３側には、スライド調整時に利用されるフランジ部２６３が設けられている。
【００６５】
また、エリアセンサ２３が固定されるホルダ２５０は、上述したホルダ５０に対して、開口５５等を無くし、端部２５１にレンズ保持部２６０の外周面２６１に摺接する開口２５２が形成され、この開口２５２の上部にレンズ保持部２６０の凹部２６２の底面及び側面の少なくとも一部に摺接する凸部２５３が形成されている。
【００６６】
すなわち、本実施形態では、第１基準面及び第２基準面は、レンズ保持部２６０の外周面２６１とこの外周面２６１に設けられる凹部２６２を利用して形成され、第１案内面及び第２案内面は、ホルダ２５０に設けられる開口２５２の縁面とこの開口２５２に設けられる凸部２５３を利用して形成される。
【００６７】
このように構成されても、エリアセンサ２３と結像レンズ２５との相対位置を調整する場合には、外周面２６１及び凹部２６２がそれぞれ開口２５２及び凸部２５３に対して摺接するようにレンズ保持部２６０をホルダ２５０に対して光軸Ｌに沿うように移動させることができる。このため、エリアセンサ２３と結像レンズ２５との相対位置を変化させて最適な焦点位置を求める際に片ボケ部分Ｓが回転移動しないため、測定される解像力の変化に関して片ボケの影響を抑制することができる。
【００６８】
なお、レンズ保持部２６０は、外周面２６１の下部のみでホルダ２５０の開口２５２に摺接するように形成され、凹部２６２の底面及び側面が第１基準面及び第２基準面として機能するように構成されてもよい。
【００６９】
［第４実施形態］
次に、本第４実施形態に係る光学的情報読取装置について、図１１及び図１２を参照して説明する。
本第４実施形態では、上述したホルダ５０及びレンズ保持部６０に代えて、ホルダ３５０及びレンズ保持部３６０を採用する点が、上記第１実施形態と主に異なる。
【００７０】
具体的には、図１１及び図１２に示すように、結像レンズ２５を保持するレンズ保持部３６０は、光軸Ｌ（Ｌ２）が通る面から見て断面正方形状となるようにその上面３６１、下面３６２及び両側面３６３，３６４が形成されている。
【００７１】
また、エリアセンサ２３が固定されるホルダ３５０は、上述したホルダ５０に対して、開口５５等を無くし、端部３５１にレンズ保持部３６０の上面３６１、下面３６２及び両側面３６３，３６４に摺接する正方形状の開口３５２が形成されている。
【００７２】
すなわち、本実施形態では、第１基準面及び第２基準面は、レンズ保持部３６０の上面３６１、下面３６２及び両側面３６３，３６４を利用して形成され、第１案内面及び第２案内面は、ホルダ３５０に設けられる開口３５２の縁面を利用して形成される。
【００７３】
このように構成されても、エリアセンサ２３と結像レンズ２５との相対位置を調整する場合には、上面３６１、下面３６２及び両側面３６３，３６４がそれぞれ開口３５２に対して摺接するようにレンズ保持部３６０をホルダ３５０に対して光軸Ｌに沿うように移動させることができる。このため、エリアセンサ２３と結像レンズ２５との相対位置を変化させて最適な焦点位置を求める際に片ボケ部分Ｓが回転移動しないため、測定される解像力の変化に関して片ボケの影響を抑制することができる。
【００７４】
なお、レンズ保持部３６０の上面３６１、下面３６２及び両側面３６３，３６４は、光軸Ｌが通る面から見て断面正方形状となるように形成されることに限らず、例えば、断面長方形状となる形状や断面五角形状となる形状等も含めて断面多角形状となるように形成されてもよい。
【００７５】
［第５実施形態］
次に、本第５実施形態に係る光学的情報読取装置について、図１３及び図１４を参照して説明する。
本第５実施形態では、上述したホルダ５０及びレンズ保持部６０に代えて、ホルダ４５０及びレンズ保持部４６０を採用する点が、上記第１実施形態と主に異なる。
【００７６】
具体的には、図１３及び図１４に示すように、結像レンズ２５を保持するレンズ保持部４６０は、光軸Ｌ（Ｌ２）が通る面から見て断面円弧状（断面弓形状）となるようにその外周面４６１の上部側に平面４６２が設けられて形成されている。また、レンズ保持部４６０の読取口１３側には、スライド調整時に利用されるフランジ部４６３が設けられている。
【００７７】
また、エリアセンサ２３が固定されるホルダ４５０は、上述したホルダ５０に対して、開口５５等を無くし、端部４５１にレンズ保持部４６０の外周面４６１及び平面４６２に対して縁面４５２ａ及び縁面４５２ｂにて摺接するように開口４５２が形成されている。
【００７８】
すなわち、本実施形態では、第１基準面及び第２基準面は、レンズ保持部４６０の外周面４６１及び平面４６２を利用して形成され、第１案内面及び第２案内面は、ホルダ４５０に設けられる開口４５２の縁面４５２ａ及び縁面４５２ｂを利用して形成される。
【００７９】
このように構成されても、エリアセンサ２３と結像レンズ２５との相対位置を調整する場合には、外周面４６１及び平面４６２がそれぞれ開口４５２の縁面４５２ａ及び４５２ｂに対して摺接するようにレンズ保持部４６０をホルダ４５０に対して光軸Ｌに沿うように移動させることができる。このため、エリアセンサ２３と結像レンズ２５との相対位置を変化させて最適な焦点位置を求める際に片ボケ部分Ｓが回転移動しないため、測定される解像力の変化に関して片ボケの影響を抑制することができる。
【００８０】
［第６実施形態］
次に、本第６実施形態に係る光学的情報読取装置の製造方法について、図面を参照して説明する。
本第６実施形態では、光学的情報読取装置１０を構成するレンズ保持部６０とホルダ５０との組み付け工程において、最適な焦点位置への調整作業を確実に実施するため、レンズ保持部６０をホルダ５０に対して徐々にスライドさせて順次解像力を測定した後に固定するためのアーム及びＸステージ等を採用する点が、上記第１実施形態と主に異なる。
【００８１】
図１５及び図１６に示すように、本実施形態における光学的情報読取装置１０の製造方法では、主に、接着固定前のレンズ保持部６０が組み付けられたホルダ５０が載置される載置台５０１と、載置台５０１に載置されたレンズ保持部６０をホルダ５０に対して移動（スライド）させるためのアーム５１０及びＸステージ５２０と、Ｘステージ５２０を駆動制御する制御部５３０とを備える製造装置５００が採用される。そして、アーム５１０を光軸Ｌ１に沿う方向に移動させながらエリアセンサ２３による解像力を順次測定し、測定された解像力がピークとみなされるピーク位置でレンズ保持部６０をホルダ５０に固定するように、焦点位置を調整する調整作業を行う。
【００８２】
載置台５０１は、所定の位置にホルダ５０が載置されることで、このホルダ５０のエリアセンサ２３からの画像信号が制御部５３０に出力可能となるように構成されている。
【００８３】
アーム５１０は、レンズ保持部６０の両係合部６４のそれぞれに係合する一対の係合突起５１３が一端側５１１の下面に設けられ、他端側５１２がＸステージ５２０に対して着脱可能となるように構成されている。係合突起５１３は、少なくとも光軸Ｌ１に沿う方向（Ｘ方向）において、係合した係合部６４との間であそびをなくすように形成されている。アーム５１０の一端側５１１は、両係合突起５１３がそれぞれ対応する係合部６４に係合している状態にて、両接着用溝６５を露出させるように形成されている。
【００８４】
Ｘステージ５２０は、他端側５１２が組み付けられたアーム５１０を光軸Ｌ１に沿う方向に移動させるための装置であって、その移動方向や移動量が制御部５３０によって駆動制御されるように構成されている。
【００８５】
制御部５３０は、焦点位置調整処理を行うことで、測定されたエリアセンサ２３の解像力に応じて、ホルダ５０に固定されるエリアセンサ２３とレンズ保持部６０に保持される結像レンズ２５との相対位置が最適な焦点位置となるようにＸステージ５２０を駆動制御するように構成されている。この制御部５３０は、例えば、ＣＰＵやメモリ等を備える制御基板として構成されてもよいし、所定の端末にインストールされたアプリケーションプログラムを用いて構成されてもよい。
【００８６】
次に、仮組したレンズ保持部６０とホルダ５０とを、エリアセンサ２３と結像レンズ２５との相対位置が最適な焦点位置となるように接着固定する際になされる製造工程について具体的に説明する。
【００８７】
まず、結像レンズ２５が保持されたレンズ保持部６０を、エリアセンサ２３が固定されたホルダ５０に対して、下面６３及び端面６１ａ，６１ｂが上面５４及び縁面５６ａ，５６ｂにそれぞれ面接触するようにして仮組する。そして、このように仮組したホルダ５０を載置台５０１の所定の位置に載置する。これにより、エリアセンサ２３からの画像信号が制御部５３０に対して出力される状態となる。
【００８８】
次に、両係合突起５１３をそれぞれ係合部６４に係合するようにして、Ｘステージ５２０に組み付けられたアーム５１０を、レンズ保持部６０に組み付ける。また、図１５及び図１６に示すように、エリアセンサ２３の撮像視野内であって調整したい焦点位置に、図１７（Ａ）又は図１７（Ｂ）に例示するようなチャートＭを配置する。
【００８９】
この状態にて、制御部５３０による焦点位置調整処理を開始する。具体的には、図１８（Ａ）に例示するように、Ｘステージ５２０を駆動制御してアーム５１０を光軸に沿う一方向に予め設定される移動量に応じて移動させるごとに、チャートＭを撮像した際のエリアセンサ２３からの出力に基づいて求められるコントラスト値を解像力として測定する。ここで、上記移動量は、測定時間の短縮を図るため、図１８（Ａ）に例示するように、想定されるピーク値よりも低くなるように設定される所定値Ｎ１を基準に、所定値Ｎ１以上のコントラスト値が測定される際の移動量Ｘ２を、所定値Ｎ１未満のコントラスト値が測定される際の移動量Ｘ１よりも小さくしている。
【００９０】
そして、アーム５１０を上記一方向に移動させながら測定されるコントラスト値が、ピークを越えて下がり始めて、以前に測定された最大のコントラスト値Ｐｏを基準に設定される閾値Ｎ２以下になると、Ｘステージ５２０によるアーム５１０の移動を停止させる。そして、図１８（Ｂ）に例示するように、アーム５１０を上記一方向に対して逆方向となる光軸Ｌ１に沿う他方向に移動させて、コントラスト値を順次測定する。なお、本実施形態では、他方向に順次移動させる際の移動量Ｘ３を、上記移動量Ｘ２よりもさらに小さくなるように設定している。例えば、他方向に移動させる際の移動量Ｘ３を１ステップとすると、上記移動量Ｘ２を５ステップ、上記移動量Ｘ１を１０ステップとすることができる。
【００９１】
そして、アーム５１０を上記他方向に移動させながら測定されるコントラスト値が、ピークを越えて下がり始めると、以前に測定された最大のコントラスト値とこのコントラスト値を測定したレンズ保持部６０の位置とがピーク値Ｐａ及びピーク位置Ｐｘとして設定される。その後、上記他方向に移動させながら測定されるコントラスト値が、ピーク値Ｐａを基準に設定される閾値Ｎ３以下になると、Ｘステージ５２０によるアーム５１０の移動を停止させる。
【００９２】
そして、レンズ保持部６０がピーク位置Ｐｘを超えるようにアーム５１０を光軸Ｌ１に沿う一方向に移動させた後（図１８（Ｂ）の矢印Ｆ１参照）、ピーク位置Ｐｘに向けて再度アーム５１０を他方向に移動させて（図１８（Ｂ）の矢印Ｆ２参照）、当該ピーク位置ＰｘでＸステージ５２０によるアーム５１０の移動を停止させる。なお、光軸Ｌ１に沿う他方向は、「第１の方向」の一例に相当し、光軸Ｌ１に沿う一方向は、「第２の方向」の一例に相当し得る。
【００９３】
このようにしてピーク位置Ｐｘにレンズ保持部６０を移動させると、図１９に例示するように、ＵＶ接着剤用のディスペンサ５４０を用いて接着用溝６５から接着用溝５３ａにかけてＵＶ接着剤を塗布する。この状態でＵＶライト等を用いてＵＶ接着剤を固着させることで、アーム５１０が組み付けられた状態にてレンズ保持部６０がホルダ５０に固定される。この固着時には、アーム５１０は、Ｘステージ５２０から取り外されてもよい。
【００９４】
このようにレンズ保持部６０がホルダ５０に固定された後、アーム５１０をレンズ保持部６０から取り外すことで、レンズ保持部６０がホルダ５０に対してピーク位置Ｐｘにて固定された受光光学系が完成する。
【００９５】
以上、本実施形態に係る光学的情報読取装置１０の製造方法では、結像レンズ２５が保持されたレンズ保持部６０を、エリアセンサ２３が固定されたホルダ５０に対して下面６３及び端面６１ａ，６１ｂが上面５４及び縁面５６ａ，５６ｂにそれぞれ面接触するように組み付けた後、光軸Ｌ１に沿って移動可能なアーム５１０をレンズ保持部６０に組み付け、下面６３及び端面６１ａ，６１ｂが上面５４及び縁面５６ａ，５６ｂに摺接するようにアーム５１０を光軸Ｌ１に沿う方向に移動させながらエリアセンサ２３による解像力（コントラスト値）を順次測定し、測定された解像力がピークとみなされるピーク位置Ｐｘでアーム５１０が組み付けられた状態のレンズ保持部６０をホルダ５０に接着固定した後、アーム５１０をレンズ保持部６０から取り外す。
【００９６】
これにより、ピーク位置Ｐｘでレンズ保持部６０をホルダ５０に固定する際、レンズ保持部６０にはアーム５１０が組み付けられているので、レンズ保持部６０がピーク位置Ｐｘからずれ難くなり、解像力を測定することで求められた最適な焦点位置への調整を確実に実施することができる。
【００９７】
特に、レンズ保持部６０をホルダ５０に固定する工程では、アーム５１０を光軸Ｌ１に沿う他方向（第１の方向）に移動させながらピーク位置Ｐｘが求められることで、当該ピーク位置Ｐｘを超えるようにアームを光軸Ｌ１に沿う一方向（第２の方向：図１８（Ｂ）の矢印Ｆ１参照）に移動させた後、ピーク位置Ｐｘに向けてアーム５１０を上記他方向（第１の方向：図１８（Ｂ）の矢印Ｆ２参照）に移動させて、当該ピーク位置Ｐｘでレンズ保持部６０をホルダ５０に固定する。
【００９８】
アームの移動方向を第１の方向から第２の方向に切り替える際、アーム５１０を移動させるためアクチュエータとして機能するＸステージ５２０のあそび等に起因して、Ｘステージ５２０が駆動してもレンズ保持部６０が移動していない場合があり、このような場合には、第１の方向に移動させながら見つけたピーク位置Ｐｘに向けてレンズ保持部６０を他方向に移動させるように調整すると、ピーク位置Ｐｘからずれた位置に固定される可能性がある。そこで、第１の方向に移動させながらピーク位置Ｐｘが求められた場合には、当該ピーク位置Ｐｘを超えるようにアーム５１０を光軸Ｌ１に沿う第２の方向に移動させた後、ピーク位置Ｐｘに向けてアーム５１０を上記第１の方向に移動させて、当該ピーク位置Ｐｘでレンズ保持部６０をホルダ５０に固定することで、上述のようなピーク位置Ｐｘからのずれの発生を防止でき、最適な焦点位置への調整をより確実に実施することができる。
【００９９】
さらに、解像力（コントラスト値）を順次測定する工程では、所定値Ｎ１以上の解像力が測定される際の移動量を、上記移動量Ｘ２，Ｘ３のように、所定値Ｎ１未満の解像力が測定される際の移動量Ｘ１よりも小さくする。これにより、ピーク位置Ｐｘ付近までの測定に関して測定時間が短縮し、ピーク位置Ｐｘ近傍での測定に関して測定精度が高められるので、測定時間の短縮と測定精度の向上との両立を図ることができる。
【０１００】
なお、上述したアーム５１０等を利用した受光光学系の製造方法は、他の実施形態にも適用することができる。
【０１０１】
なお、本発明は上記各実施形態及び変形例に限定されるものではなく、例えば、以下のように具体化してもよい。
【０１０２】
（１）上記第２〜５実施形態におけるレンズ保持部１６０，２６０，３６０，４６０には、最適な焦点位置への調整を確実に実施するため、レンズ保持部６０の一対の係合部６４のように、スライド調整時に利用される係合部が形成されてもよい。
【０１０３】
（２）本発明は、情報コードを光学的に読み取る光学的情報読取装置に適用されることに限らず、公知の記号認識処理機能（ＯＣＲ）を利用することで文字情報等を光学的に読み取る光学的情報読取装置に適用されてもよいし、情報コード等を光学的に読み取る機能に加えて他の機能、例えば、無線通信媒体と無線通信する無線通信機能等を兼備する情報読取装置に適用されてもよい。
【符号の説明】
【０１０４】
１０…光学的情報読取装置
２３…エリアセンサ
２３ａ…受光面
２５…結像レンズ
５０，１５０，２５０，３５０，４５０…ホルダ
５３…上面（案内面，第１案内面）
５４…開口
５５ａ，５６ｂ…上面（案内面，第２案内面）
６０，１６０，２６０，３６０，４６０…レンズ保持部
６１…保持部本体
６１ａ，６１ｂ…端面（基準面，第２基準面）
６２…つば部
６３…つば下面（基準面，第１基準面）
５００…製造装置
５１０…アーム
５２０…Ｘステージ
５３０…制御部
Ｌ，Ｌ１，Ｌ２…光軸
Ｓ…片ボケ部分
【図１】
2019028980.tif 000003
【図２】
2019028980.tif 000004
【図３】
2019028980.tif 000005
【図４】
2019028980.tif 000006
【図５】
2019028980.tif 000007
【図６】
2019028980.tif 000008
【図７】
2019028980.tif 000009
【図８】
2019028980.tif 000010
【図９】
2019028980.tif 000011
【図１０】
2019028980.tif 000012
【図１１】
2019028980.tif 000013
【図１２】
2019028980.tif 000014
【図１３】
2019028980.tif 000015
【図１４】
2019028980.tif 000016
【図１５】
2019028980.tif 000017
【図１６】
2019028980.tif 000018
【図１７】
2019028980.tif 000019
【図１８】
2019028980.tif 000020
【図１９】
2019028980.tif 000021